(57)【要約】【課題】本考案は、全体を縦向き掛けと横向き掛けができ、ティッシュのレギュラーサイズとコンパクトサイズに適合するティッシュカバーの提供にある。【解決手段】  ティッシュカバー本体の上面部に接続する長手方向側面部及び短手方向側面部の４面の外面に連結用係着具を設け、該連結用係着具の二つとバンドの両端に設けて連結用係着具を係着し、ティッシュカバーに収容するティッシュを縦掛け置きと横掛け置きを可能とし、ティッシュカバー本体の上面部に接続する一方の長手方向側面部底縁に接続する一方の長手方向底面部と、一方の長手方向側面部底縁に接続する他方の長手方向底面部の両打合せ面に係合部材を設けて係合位置をレギュラーサイズとコンパクサイズに調整して接続可能とするティッシュカバー。【選択図】図４
0003146428.tif 000002
【実用新案登録請求の範囲】
【請求項１】
ティッシュカバー本体の上面部に接続する長手方向側面部及び短手方向側面部の４面の外面に連結用係着具を設け、該連結用係着具の二つとバンドの両端に設けて連結用係着具を係着し、ティッシュカバーに収容するティッシュを縦掛け置きと横掛け置きを可能とするティッシュカバー。
【請求項２】
ティッシュカバー本体の上面部に接続する一方の長手方向側面部の外面両端と、他方の長手方向側面部の外面の少なくとも一端に、前記一方の長手方向側面部の外面一端と対応して、連結用係着具を設け、該連結用係着具の二つとバンドの両端に設けて連結用係着具を係着し、ティッシュカバーに収容するティッシュを縦掛け置きと横掛け置きを可能とするティッシュカバー。
【請求項３】
前記ティッシュカバー本体の一方の長手方向側面部の外面両端と、他方の長手方向側面部の外面の少なくとも一端に設けられる連結用係着具は、ドットボタンであることを特長する請求項２のティッシュカバー。
【請求項４】
ティッシュカバー本体の一方の長手方向側面部の底縁に接続する一方の長手方向底面部と他方の長手方向側面部の底縁に接続する他方の長手方向底面部との両打合せ面に係合部材を設けて係合位置をレギュラーサイズとコンパクサイズに調整して接続可能とするティッシュカバー。
【請求項５】
前記一方の長手方向底面部と他方の長手方向底面部の両打合せ面に設ける係合部材は、ベルベットファスナーであることを特長とする請求項４のティッシュカバー。
【考案の詳細な説明】
【技術分野】
【０００１】
本考案は、化粧紙、塵紙として利用されるティッシュペーパーが引き出し易いようにセットされているティッシュボックス（以下単に「ティッシュ」という。）のレギュラーサイズとコンパクトサイズに適合して収容することができると共に、全体を縦向き掛けと横向き掛けに置くことができるティッシュカバーに関するものである。
【背景技術】
【０００２】
従来、ティッシュカバーは、特許文献１に開示されるように、車室の内天井へ配置する装置として、ティッシュカバー本体１の底部１１外面に、車室内の起毛布５１に対して脱着可能に係合する鈎状係合部材２を配備したものが提案されている。
【０００３】
特許文献２には、引き出し口を上面部に開口するティッシュカバーの短手方向両側壁面部７、７間に張設され、両外端を張設孔８から外方に引き出された後、該張設孔８に近接して開口する端止め孔８に再び引き入れられて内端が端止めされてティッシュカバーの底部の出入口からティッシュが収容時に脱落しないように弾性紐による保持具１０が配備され、短手方向両側壁面部７、７の外面の保持具１０のＵ字形端部１１、１１の一方を引き出して壁の掛け具３１に掛けてティッシュ全体を縦掛けできるものが開示されている。
【０００４】
特許文献３には、引き出し口を備えた上面部１を中心に保持する短手方向両側面部の底縁に横方向に延長される横方向延長バンド部が、長手方向両側面部の底縁に縦方向に延長される縦方向延長バンド部が夫々接続され、前記短手方向両側面部と前記長手方向両側面部の対面部と、前記横方向延長バンド部と縦方向延長バンド部の各先端の対面部には留め具が夫々配備され、該横方向延長バンド部は縦方向延長バンド部を支持部材に巻付け、該支持部材個所に保持装着されるティッシュカバーが開示されている。
【特許文献１】特開２０００−２９６０７２号公報
【特許文献２】特開２００４−１１５１１５号公報
【特許文献３】特開２００５−６６０７５号公報
【考案の開示】
【考案が解決しようとする課題】
【０００５】
前記特許文献１に開示されるティッシュの車室内取付装置は、車室に起毛布が張設されていることを条件とするので、配備個所が限定される欠点がある。
【０００６】
前記特許文献２に開示される壁掛け装置は、短手方向両側壁面部７、７間に張設される保持具１０の外端を利用するので、縦掛け方向に限定されて横掛けは行えないものである。
【０００７】
特許文献３に開示される壁掛け装置は、短手方向両側面部の底縁に延長される横方向延長バンド部又は長手方向両側面部の底縁に延長される縦方向延長バンド部を支持部材に巻付け保持装着するものであるから、構成が煩雑でコスト高を招き、かつ取扱いが面倒である。
【０００８】
本考案は、前述のような横掛け又は縦掛けの欠点を解消し、かつ、レギュラーサイズとコンパクトサイズに容易に適合して収容することができることを目的になされたものである。
【課題を解決するための手段】
【０００９】
ティッシュカバー本体の上面部に接続する長手方向側面部及び短手方向側面部の４面の外面に連結用係着具を設け、該連結用係着具の二つとバンドの両端に設けて連結用係着具を係着し、ティッシュカバーに収容するティッシュを縦掛け置きと横掛け置きを可能とするティッシュカバーにある。
【００１０】
ティッシュカバー本体の上面部に接続する一方の長手方向側面部の外面両端と、他方の長手方向側面部の外面の少なくとも一端に、前記一方の長手方向側面部の外面一端と対応して、連結用係着具を設け、該連結用係着具の二つとバンドの両端に設けて連結用係着具を係着し、ティッシュカバーに収容するティッシュを縦掛け置きと横掛け置きを可能とするティッシュカバーにある。
【００１１】
前記ティッシュカバー本体の一方の長手方向側面部の外面両端と、他方の長手方向側面部の外面の少なくとも一端に設けられる連結用係着具は、ドットボタンであることを特長する請求項２のティッシュカバー。
【００１２】
ティッシュカバー本体の上面部に接続する長手方向側面部及び短手方向側面部の４面の底縁に接続する一方の長手方向底面部と他方の長手方向底面部の両打合せ面に係合部材を設けてレギュラーサイズとコンパクサイズに調整して接続可能とするティッシュカバーとしてもよいものである。
【００１３】
前記一方の長手方向底面部と他方の長手方向底面部の両打合せ面に設ける係合部材は、ベルベットファスナーとしてもよいものである。
【考案の効果】
【００１４】
本考案のティッシュカバーには、バンドが付設され、横向き掛けと縦向き掛けとができるから、置き場所を台面にから垂直面部まで拡大して使用できる。
【００１５】
本考案のティッシュカバーは、一つでレギュラーサイズとコンパクトサイズを収容することができる。
【考案を実施するための最良の形態】
【００１６】
ティッシュカバー本体の上面部に接続する一方の長手方向側面部の外面両端と、他方の長手方向側面部の外面の少なくとも一端に、前記一方の長手方向側面部の外面一端と対応して、連結係合用係着具を設け、該連結用係着具の二つとバンドの両端に設けた連結用係着具を係着し、ティッシュカバーに収容するティッシュを縦掛け置きと横掛け置きを可能とし、ティッシュカバー本体の上面部に接続する一方の長手方向側面部底縁に接続する一方の長手方向底面部と、一方の長手方向側面部底縁に接続する他方の長手方向底面部の両打合せ面に係合部材を設けて係合位置をレギュラーサイズとコンパクサイズに調整して接続可能とするティッシュカバー。
【実施例】
【００１７】
以下、本考案のティッシュカバーを実施例として示す図面により説明すると、実施例のティッシュカバー１は、ティッシュカバー本体１ａと掛けバンド１ｂから設けられる。前記ティッシュカバー本体１ａと掛けバンド１ｂは夫々布製である。
【００１８】
前記ティッシュカバー本体１ａは、上面部２にはティッシュペーパー３の引き出し口４が開設されており、上面部２の一方の長手方向上縁２ａには一方の長手方向側面部５が接続され、上面部２の他方の長手方向上縁２ｂには他方の長手方向側面部８が接続され、前記一方の長手方向側面部５の長手方向外面の両端には、連結用係着具としてのドットボタン６、７が、前記他方の長手方向側面部８の長手方向外面の少なくとも一方端には、同じく連結用係着具としてのドットボタン９が夫々配設されている。
【００１９】
前記掛けバンド１ｂの内面両端には、前記ティッシュカバー本体１ａの一方の長手方向側面部５のドットボタン６、７と他方の長手方向側面部８のドットボタン９と係着する連結用係着具としてのドットボタン１０、１１が夫々配設されている。
【００２０】
本考案の実施例のティッシュカバー１は、前述のように、ティッシュカバー本体１ａと掛けバンド１ｂとから構成されるから、掛けバンド１ｂのドットボタン１０、１１をティッシュカバー本体１ａの一方の長手方向側面部５のドットボタン６、７に係着した場合には、図２に示すように、フック１２に掛けて横掛けをすることができ、また、掛けバンド１ｂのドットボタン１０を一方の長手方向側面部５のドットボタン６に、掛けバンド１ｂのドットボタン１１を他方の長手方向側面部８のドットボタン９に係着した場合には、図３に示すように、フック１２に掛けて縦掛けをすることができるものである。
【００２１】
前記ティッシュカバー本体１ａにおいて、実施例として図示しないが、連結用係着具としてのドットボタン６、７、９は、前記一方の長手方向側面部５と他方の長手方向側面部８に限定するものではなく、一方の短手方向側面部１７と他方の短手方向側面部１８の外面でもよいものである。また、一方の短手方向側面部１７又は他方の短手方向側面部１８に対応する掛けバンドは、図示しないが、前記の掛けバンド１ｂよりも短いものでもよいものである。
前記連結用係着具は、ドットボタンに限定するものではなく、ボタンとホール、スナップボタン、ベルベットファスナーとしてもよいものである。
【００２２】
次に、前記ティッシュカバー本体１ａは、図４〜図６に示すように、前記一方の長手方向側面部５の一方の長手方向側面部底縁５ａには、一方の長手方向底面重合部１３が、前記他方の長手方向側面部８の他方の長手方向側面部底縁８ａには、他方の長手方向底面重合部１４が夫々接続して形成されると共に、夫々の対向面には、係合具としてベルベットファスナー１５、１６が配設される。
【００２３】
前記ティッシュカバー本体１ａの上面部２の一方の短手方向上縁２ｃと他方の短手方向上縁２ｄには一方の短手方向側面部１７と他方の短手方向側面部１８が接続形成され、かつ、一方の短手方向側面部底縁１７ａと他方の短手方向側面部底縁１８ａには、前記一方の長手方向底面重合部１３と他方の長手方向側面部８の内側に折り込まれる一方の短手方向底面部１９と他方の短手方向底面部２０が接続して形成されている。
【００２４】
本考案の実施例のティッシュカバー１は、前述のように、夫々の対向面に係着具としてベルベットファスナー１５、１６が配設される一方の長手方向底面重合部１３と他方の長手方向底面重合部１４が夫々接続して形成されるから、一方の長手方向底面重合部１３と他方の長手方向底面重合部１４が重合する時に一体に結合することができ、収容するティッシュペーパー３がコンパクトサイズ３ａのものであるときは、図６において、実線で示すように、例えば一方の長手方向底面重合部１３と他方の長手方向底面重合部１４が夫々の接続底縁から折曲げて重合接続して対応し、収容するティッシュペーパー３がレギュラーサイズ３ｂのものであるときは、同じく図６の仮線に示すように、一方の長手方向底面重合部１３と他方の長手方向底面重合部１４の一部を夫々一方の長手方向側面部５と他方の長手方向側面部８の延長側面部に構成した後、折曲げて夫々の一方の長手方向底面重合部１３と他方の長手方向底面重合部１４を重合接続してカバー本体１ａの底縁開口を閉鎖するものである。
【産業上の利用可能性】
【００２５】
本考案のティッシュカバーは置き場所を限定してないで使用でき、また、一つでレギュラーサイズとコンパクトサイズを兼用して収容することができ、利用範囲を拡大するものである。
【図面の簡単な説明】
【００２６】
【図１】本考案のティッシュカバーの縦掛けと横掛けをする実施例の構成を示すティッシュカバー本体と掛けバンドの分解斜視図である。
【図２】本考案のティッシュカバーにティッシュを収容して壁等に横掛け状態の実施例を示す横掛け斜視図である。
【図３】同じく、本考案のティッシュカバーにティッシュを収容して縦掛け状態の実施例を示す縦掛け斜視図である。
【図４】本考案のティッシュカバー本体の底部を展開した状態の実施例を上方から示す上方展開斜視図である。
【図５】本考案のティッシュカバー本体の底部を展開した状態の実施例を下方から示す下方展開斜視図である。
【図６】本考案のティッシュカバーにティッシュのコンパクサイズとレギュラーサイズを収容した時における底部の接続状況の実施例を示す横断面図である。
【符号の説明】
【００２７】
１  実施例のティッシュカバー
１ａ  ティッシュカバー本体
１ｂ  掛けバンド
２  上面部
２ａ  一方の長手方向上縁
２ｂ  他方の長手方向上縁
２ｃ  一方の短手方向上縁
２ｄ  他方の短手方向上縁
３  ティッシュペーパー
３ａ  コンパクトサイズ
３ｂ  レギュラーサイズ
４  引き出し口
５  一方の長手方向側面部
５ａ  一方の長手方向側面部底縁
６  ドットボタン
７  ドットボタン
８  他方の長手方向側面部
８ａ  他方の長手方向側面部底縁
９  ドットボタン
１０  ドットボタン
１１  ドットボタン
１２  フック
１３  一方の長手方向底面重合部
１４  他方の長手方向底面重合部
１５  ベルベットファスナー
１６  ベルベットファスナー
１７  一方の短手方向側面部
１８  他方の短手方向側面部
１７ａ  一方の短手方向側面部底縁
１８ａ  他方の短手方向側面部底縁
１９  一方の短手方向底面部
２０  他方の短手方向底面部
【図１】
0003146428.tif 000003
【図２】
0003146428.tif 000004
【図３】
0003146428.tif 000005
【図４】
0003146428.tif 000006
【図５】
0003146428.tif 000007
【図６】
0003146428.tif 000008